(57)【要約】【課題】隆起凸部の伸びによる平坦化を抑制でき、隆起凸部によるマッサージ効果を良好に保持できる衣類用の編地を提供する。【解決手段】伸縮性を有する衣類用の編地１で、少なくとも一部の領域において、連続フロート編１０による編地裏面側への隆起凸部２を、縦横に間隔をおいて個々に独立した隆起形状をなして多数形成してあり、隆起凸部２の少なくとも横方向の片側に隣接して、衣類として使用上における引っ張りに対する抗力が隆起凸部２の組織よりも大きくて伸びを抑制する別の編組織を配して、隆起凸部２の伸びによる平坦化を抑制する。【選択図】図５
2008214775.tif 000002
【特許請求の範囲】
【請求項１】
伸縮性を有する編地であって、少なくとも一部の領域において、連続フロート編による編地裏面側への隆起凸部が、縦横に間隔をおいて個々に独立した隆起形状をなして多数形成され、該隆起凸部によりマッサージ効果が奏効せしめられる衣類用の編地において、
前記隆起凸部の少なくとも横方向の片側に隣接して、衣類としての使用上における縦方向の引っ張りに対する伸びを抑制する別の編組織が配されてなることを特徴とする衣類用の編地。
【請求項２】
前記隆起凸部の横方向の両側に隣接して、前記の伸びを抑制する別の編組織が設けられてなる請求項１に記載の衣類用の編地。
【請求項３】
前記隆起凸部の少なくとも横方向の片側に隣接する前記の伸びを抑制する別の編組織が、前記隆起凸部の組織に比して引っ張りに対する抗力が大きい組織よりなる請求項１又は２に記載の衣類用の編地。
【請求項４】
前記隆起凸部が縦方向に間隔を存して列状に配設されるとともに、前記隆起凸部の各列の少なくとも片側に隣接して、縦方向に連続する前記の伸びを抑制する別の編組織が配されてなることを特徴とする請求項１〜３のいずれか１項に記載の衣類用の編地。
【請求項５】
前記各列の隆起凸部が交互に位置をずらせた配置をなすように形成されてなる請求項４に記載の衣類用の編地。
【請求項６】
前記隆起凸部が、少なくとも市松模様、千鳥模様又はハニカム状のいずれか一種を含んだ配置をなすように縦横に間隔をおいて配設されてなる請求項１〜５のいずれか１項に記載の衣類用の編地。
【請求項７】
前記隆起凸部の組織が、平編組織の中で連続フロート編が適宜の間隔をおいて並んだ組織であり、該隆起凸部の少なくとも横方向の片側に隣接する前記の伸びを抑制する別の編組織が、平編とタック編及びフロート編の一方とを組み合わせたメッシュ編、又は、平編とタック編及びフロート編の双方とを組み合わせた複合メッシュ編の編組織である請求項１〜６のいずれか１項に記載の衣類用の編地。
【発明の詳細な説明】
【技術分野】
【０００１】
本発明は、インナーウエアその他の各種の衣類に使用した場合にマッサージ効果を生じさせることができる隆起凸部を有する衣類用の編地に関するものである。
【背景技術】
【０００２】
例えば、タイツ、スパッツ、ボディースーツ、ガードル、ショーツ、パンティストッキングその他の身体にフィットさせた状態で着用する各種インナーウエア、ソックスその他の丸編（横編を含む）により編成される衣類用の編地の分野において、着用状態に応じて求められる特定範囲の領域において所要コースにわたって連続してフロート編して特定の選択されたウエールの編成を休止させて、所要のコース編成後に、前記特定の選択されたウエールを復帰させることにより、編地裏面に畝状に盛り上がった隆起凸部が形成され、該隆起凸部により該編地の衣類着用時にマッサージ効果が得られることが従来から知られている（例えば、特許文献１）。
【０００３】
また、前記畝状に連続した隆起凸部に換えて、編組織の異なる前記同様の隆起凸部と凹部とを互い違いに並べて編成することにより、マッサージ効果をさらに高めるようにしたものが提案されている（例えば特許文献２、３）。
【特許文献１】特許第３２０７８０８号公報
【特許文献２】特許第３２０９７３８号公報
【特許文献３】特許第３２１５４０１号公報
【発明の開示】
【発明が解決しようとする課題】
【０００４】
しかしながら、前記従来より公知のフロート編による隆起凸部によるマッサージ効果を利用するこの種の編地の欠点として、該編地を特に縦方向に引っ張った場合に、多数の隆起凸部が引き伸ばされて平坦になってしまい、初期のマッサージ効果が期待できないと言った問題がある。
【０００５】
このため、特許文献３では、連続フロート編の中に一定の割合でタック編目を混在させる方法が提案されている。しかし、この方法の場合、ある程度は凸部の平坦化抑制の効果はあるものの、実際の編成工程においては、１本の編針が複数のタック編目の糸を同時に保持する状態になるため、編針にかかる負荷が大きく、そのため編成の速度を速くすることができず、生産効率が劣る結果となっている。
【０００６】
本発明は、前記の問題を解決するためになしたのものであり、特に隆起凸部の横方向の少なくとも片側に隣接して、縦方向の引っ張りに対する伸びを抑制する別の編組織を配することにより、タック編を施さないでも、隆起凸部の伸びによる平坦化を抑制でき、該隆起凸部によるマッサージ効果を良好に保持できるようにした衣類用の編地を提供することを目的とする。
【課題を解決するための手段】
【０００７】
本発明は、伸縮性を有する編地であって、少なくとも一部の領域において、連続フロート編による編地裏面側への隆起凸部が、縦横に間隔をおいて個々に独立した隆起形状をなして多数形成され、該隆起凸部によりマッサージ効果が奏効せしめられる衣類用の編地において、前記隆起凸部の少なくとも横方向の片側に隣接して、衣類としての使用上における縦方向の引っ張りに対する伸びを抑制する別の編組織が配されてなることを特徴とする。
【０００８】
これにより、該編地をインナーウエア等の衣類に使用した場合において、特に縦方向の引っ張りが作用した場合にも、前記隆起凸部の少なくとも片側に隣接する編組織により伸びが抑えられることで、隆起凸部が伸びきって平坦化するのが抑制される。そのため、隆起凸部によるマッサージ効果を良好に保持できる。しかも、フロート編の中にタック編目を混在させるものとは違い、フロート編の部分において編針にかかる負荷が過大になることがなく、ひいては該編地の生産性を向上できる。
【０００９】
特に、前記隆起凸部の横方向の両側に隣接して、前記の伸びを抑制する別の編組織が設けられてなるものの場合、前記した伸びの抑制の効果、隆起凸部の平坦化抑制の効果がさらに高くなる。
【００１０】
前記衣類用の編地において、前記隆起凸部の少なくとも横方向の片側に隣接する前記の伸びを抑制する別の編組織が、前記隆起凸部の組織に比して引っ張りに対する抗力が大きい組織よりなるものである。そのため、着用時に作用する程度の力では、前記隆起凸部周りの編組織の伸びが抑えられ、その結果、隆起凸部にも強い力が作用せず、ひいては前記隆起凸部が伸びて平坦化するのを防止できる。
【００１１】
前記衣類用の編地において、前記隆起凸部が縦方向に間隔を存して列状に配設されるとともに、前記隆起凸部の各列の少なくとも片側に隣接して、縦方向に連続する前記の伸びを抑制する別の編組織が配されてなるものが好ましい。これにより、前記隆起凸部の縦方向の各列の少なくとも片側に隣接する別の編組織が、縦方向の引っ張りに対して伸びを抑制することになって、隆起凸部の伸びによる平坦化を効果的に抑制できる。
【００１２】
特に、前記各列の隆起凸部が交互に位置をずらせた配置をなすように形成されてなるものの場合、各列において縦方向に隣接する隆起凸部間の編組織の部分が各隆起凸部の両側方に存在することになり、衣類としての使用上での各隆起凸部の伸びによる平坦化防止の効果が大きくなる。
【００１３】
前記の衣類用の編地において、前記隆起凸部が、前記市松模様、千鳥模様又はハニカム状のいずれか一種の配置をなすように縦横に間隔をおいて配設されてなるものとするのがよく、これにより隆起凸部によるマッサージ効果が良好なものとなる。
【００１４】
前記の衣類用の編地において、前記隆起凸部の組織が、平編組織の中で連続フロート編が適宜の間隔をおいて並んだ組織であり、該隆起凸部の少なくとも横方向の片側に隣接する前記の伸びを抑制する別の編組織が、平編とタック編及びフロート編の一方とを組み合わせたメッシュ編、又は、平編とタック編及びフロート編の双方とを組み合わせた複合メッシュ編の編組織であるのが好ましい。前記の編組織は、前記隆起凸部の組織より衣類としての使用上において生じる程度の縦方向の引っ張りに対する抗力が大きくなり、そのため、編地全体に同一の糸を用いて編成しているものであっても、前記の効果を呈する衣類用の編地を得ることができる。
【発明の効果】
【００１５】
上記したように、本発明の衣類用の編地によれば、連続フロートによる編地裏面側への隆起凸部が、衣類としての使用上において作用する縦方向の引っ張りに対して伸びを抑制する別の編組織が各隆起凸部の少なくとも横方向の片側に隣接して配されているので、この編地を用いて構成されるインナーウエア等の各種衣類の使用において、縦方向の伸びに対して前記隆起凸部に隣接する別の編組織の部分で伸びを抑えることで、隆起凸部の伸びによる平坦化を抑制でき、以てフロート編の中にタック編目を混在させずとも、隆起凸部によるマッサージ効果を過度に低下、あるいは失わせることなく良好に保持できることになる。
【発明を実施するための最良の形態】
【００１６】
次に本発明の実施の形態を図面に示す実施例を参照して説明する。
【００１７】
図１〜図３はそれぞれ本発明にかかる編地の外観を示す一部の略示正面図、図４は図１の編地の編成状態の模式的説明図、図５は同編地の一部の拡大組織図である。
【００１８】
図において、１は本発明にかかる衣類用の編地であり、衣類の種類、例えばタイツ、スパッツ、ボディースーツ、ガードル、ショーツ等のインナーウエアやニーハイソックス等のソックスその他の衣類の種類に応じて主として筒状に編成され、必要な場合は、編成後に裁断や縫製等が行われ、例えば図８のような衣類が構成される。
【００１９】
本発明の編地１は、丸編編成による伸縮性を有する編地であり、図１に示すように、衣類での使用において求められる少なくとも一部の領域（略全部の場合もある）において、ベースとなる平編組織の中で所要のコース数にわたる連続フロート編１０による編地裏面側への隆起凸部２、特には連続フロート編１０が１ウエール以上の適宜の間隔、好ましくは数ウエール〜数十ウエールの間隔をおいて並んだ組織による編地裏面側への隆起凸部２が、縦横に所要の間隔をおいて個々に独立した隆起形状をなして多数形成されており、該隆起凸部２によりマッサージ効果が奏効せしめられるようになっている。図中の符号３は前記隆起凸部２以外の平坦部分を示している。
【００２０】
本発明においては、後述するように、前記平坦部分３の編組織として、前記隆起凸部２の少なくとも横方向の片側に隣接して、衣類としての使用上における縦方向の引っ張りに対する伸びを抑制する別の編組織の部分２２が配されている。
【００２１】
図１の場合は、前記隆起凸部２が縦方向に間隔を存して列状に配設されるとともに、隣合う各列２０，２０間に、任意のウエールの幅で縦方向に連続する前記の伸びを抑制する別の編組織の部分２２を介在して、かつ各列２０の隆起凸部２が交互に縦方向に位置をずらせた配置をなすように形成された場合を示している。すなわち、前記各列２０の横方向の両側に隣接して前記別の編組織の部分２２，２２が配されている。
【００２２】
前記隆起凸部２の配置については、図２のように、縦方向の隆起凸部２の各列２０を、各列２０，２０間に前記同様の縦方向に連続する別の編組織の部分２２を介在させて、且つ各列の隆起凸部２０の位置をずらさないで横方向に並列させて配置することもできる。また、図３のように、前記の縦方向の隆起凸部２の各列２０を、該各列２０の隆起凸部２を交互に縦方向に位置をずらせた配置なして、かつ各列２０の２列毎に、縦方向に連続する前記同様の別の編組織の部分２２を介在させて配置することもできる。この場合、２列一組の各列２０の片側に隣接して前記の別の編組織の部分２２が配されることになる。
【００２３】
前記の隆起凸部２の配置は、前記のようにして、主として独立した各隆起凸部２が全体として市松模様や千鳥模様あるいはハニカム状の配置をなすように形成されるが、他の配置にして実施することもできる。
【００２４】
そして、本発明の場合、前記隆起凸部２以外の平坦部分３の一部として、前記のように配置される各隆起凸部２の少なくとも横方向の片側に配置される別の編組織の部分２２は、衣類としての使用上における引っ張りに対する伸びを抑制する編組織、特には前記隆起凸部２の組織に比して引っ張りに対する抗力が前記隆起凸部２の編組織よりも大きい組織であって、通常の衣類としての着用時に作用する程度の力では伸びが小さく抑えられるようになっており、これにより、前記隆起凸部２の伸びによる平坦化を抑制できるようになっている。
【００２５】
また、前記の平坦部分３のうち、前記隆起凸部２の各列２０において縦方向に隣接する隆起凸部２，２間の編組織の部分２１は、どのような編組織であってよいが、図示する実施例の場合は、前記の編組織の部分２２と同様に、通常の衣類としての使用上において作用する程度の力では伸びを小さく抑制できる編組織からなるものとされている。さらに好ましくは、通常の引っ張りに対しては前記のように伸びを抑制できるが、ある程度以上の強い力で引っ張った時には、前記隆起凸部２の組織よりも伸び量が大きくなる編組織からなるものとされる。
【００２６】
上記の構成の編地１の編組織の具体的な例について説明する。
【００２７】
図４及び図５の編組織の例においては、前記隆起凸部２は、Ａ部領域の編組織に示すように、横に１０ウエールの幅、縦に１６コースの幅の領域内において、ベースとなる平編の２ウエール（針２本）おきに縦に１５コースの連続フロート編１０の部分が所要数並列するように配されている。図３では前記Ａ部領域を平坦な状態で図示しているが、実際の編成上では、前記連続フロート編１０の部分の１５コースに渡る長い保持ループ１１の収縮によって、前記Ａ部領域の全体が編地裏面側に膨出することにより隆起形状をなすことになる。すなわち、前記Ａ部領域が一つの隆起凸部２の領域を示している。なお、前記保持ループ１１を作る編糸については、後述するように弾性糸を使用するのが望ましいが、該保持ループ１１が伸びきった状態でも前記Ａ部領域が隆起形状を保つように編成上のランナー長を設定しておくのがよい。図中の符号１２はフロート編で浮かせたミス目の編糸を示す。
【００２８】
前記隆起凸部２の領域の大きさについては、形成する隆起凸部２の形状（凸部形状）や大きさに応じて適宜設定でき、例えば横方向に６〜３６ウエールの範囲、縦方向に３２コース以内の範囲で自由に変更し設定できる。また、図４及び図５のＡ部領域の例では、前記連続フロート編１０の部分が２ウエール毎の４個所において同じコース範囲に配置されているが、該連続フロート編１０の配置数や間隔および縦方向の長さ（コース数）やコース位置は、隆起凸部２の大きさや形状（凸部形状）等に応じて任意に設定できる。特に、前記連続フロート編の縦方向の長さ（コース数）を変化させることもでき、これにより、前記隆起凸部２を、略四角形のほか、楕円形や長円形とする等、種々の形状にできる。
【００２９】
そして、前記の隆起凸部２以外の平坦部分３の編組織のうち、該隆起凸部２の横方向の少なくとも片側、すなわち前記の隆起凸部２の各列２０の少なくとも片側に隣接する編組織の部分２２の部分は、図４及び図５のＣ部領域の編組織に示すように、例えば平編とフロート編との組み合わせによる編組織とし、任意のウエール（図の場合５ウエール）の幅の領域内で、平編１ウエールおきに１×３の連続フロートによる所謂リブ編１５を配した編組織で構成されている。このＣ部の編組織は、前記連続フロートが連続する長さ（コース数）が少ないために、前記隆起凸部２の領域つまり前記Ａ部領域の組織に比して縦方向の引っ張りに対する抗力が大きく、通常の衣類としての使用上の引っ張りに対しては伸びが小さく抑えられることになり、編地の縦方向の伸びを抑制する組織となる。
【００３０】
なお、前記Ｃ部領域の前記編組織については、平編とタック編及びフロート編の一方とを組み合わせたメッシュ編、又は、平編とタック編及びフロート編の双方とを組み合わせた複合メッシュ編の編組織とするのが、衣類としての使用上において生じる程度の縦方向の引っ張りに対する抗力が大きくなり好ましい。
【００３１】
また、前記の隆起凸部２以外の平坦部分３の編組織のうち、上下（縦方向）の隆起凸部２，２間の編組織の部分２１は、図４及び図５のＢ部領域の編組織に示すように、前記隆起凸部２の領域に対応した横に１０ウエールの幅、縦に１６コースの幅の領域内において、１×１の交互のフロート編、つまり平編１３とフロート編１４を交互に配したメッシュ編の編組織で構成されている。この編組織の場合も、前記隆起凸部２の領域つまり前記Ａ部領域の組織に比して縦方向の引っ張りに対する抗力が大きく、通常の引っ張りでは伸びが小さく抑えられることになり、編地の縦方向の伸びを抑制する組織となるとともに、ある程度以上の強い力で引っ張ったときにはその伸び量が隆起凸部２の部分よりも大きくなる。
【００３２】
また、図６及び図７の編組織の例においては、隆起凸部２になるＡ部領域、及び隆起凸部２の縦方向の各列２０の少なくとも片側に隣接する編組織の部分２２のＣ部領域については、図４及び図５の編組織と同様にして、各列の上下の隆起凸部２，２間の部分２１の編組織、つまりＢ部領域の編組織を変更した場合を示している。すなわち、前記隆起凸部２、２間の編組織の部分２１は、図６及び図７のＢ部領域の編組織に示すように、前記隆起凸部２の領域に対応した横に１０ウエールの幅、縦に１６コースの幅の領域内において、１×１の交互のメッシュ編、すなわち平編１６とタック編１７を交互に配したメッシュ編の組織で構成されている。この編組織を、天竺編（平編）とフロート編との組合わせによるメッシュ編、あるいは天竺編（平編）とフロート編及びタック編の双方との組合わせによる複合メッシュ編の編組織に置き換えることができる。
【００３３】
上記の編地１は、用途に応じて求められる種々の合成繊維糸あるいは天然繊維糸を用いて、特に好ましくは弾性糸を用いて編成できる。
【００３４】
例えば、タイツやスパッツ等のインナーウエアの場合、１０〜１４０デニールのポリウレタン弾性糸に、１０〜１４０デニールのナイロンフィラメント糸もしくはウーリーナイロン糸をカバリングしたシングルカバードヤーン又はダブルカバードヤーンよりなる編糸と、１０〜１４０デニールのナイロン双糸と１００〜４０番手の綿糸との交編またはプレーティングによる交編により編成することができる。
【００３５】
また、１０〜１４０デニールのポリウレタン弾性糸に、１０〜１４０デニールのナイロンフィラメント糸もしくはウーリーナイロン糸をカバリングしたシングルカバードヤーン又はダブルカバードヤーンよりなる編糸のコースに、１０〜７０デニールのポリウレタン弾性糸に１０〜１４０デニールのナイロンフィラメント糸もしくはウーリーナイロン糸をカバリングしたシングルカバードヤーンを、一部又は全体にプレーティングしたコースと、１０〜１４０デニールのナイロン双糸と１００〜４０番手の綿糸とをプレーティングしたコースとの交編により編成することもできる。
【００３６】
上記のように構成される衣類用の編地１は、前記のフロート編による隆起凸部２を内側にして、例えば、図８に例示するガードル等のインナーウエアその他の衣類に使用する。図８において、イ部が上記のように隆起凸部２を多数配設して凹凸を付けた編地部分を示し、マッサージ効果を必要とする部分、例えば腰部や太股部等に配置している。ロ部及びハ部は他の編組織の編地部分を示している。
【００３７】
前記の衣類の使用において、縦横に間隔をおいて独立した隆起形状をなす編地裏面側の隆起凸部２により、良好なマッサージ効果を発揮できる。特に、着用状態での着用者の動きに伴って、主として縦方向の引っ張りが作用した場合にも、前記隆起凸部２の少なくとも横方向の片側に配置した編組織の部分２２が、例えば通常の衣類としての使用上において発生する引っ張りに対して伸びを抑制する組織よりなるため、伸びが小さく抑えられ、前記隆起凸部２が伸びきって平坦化するのが抑制される。そのため、隆起凸部２によるマッサージ効果を良好に保持できる。
【００３８】
しかも、隆起凸部２の編組織の領域において連続フロート編の中にタック編目を混在させるものとは違い、該編組織の部分２２により隆起凸部２の伸びを抑制して隆起形状を保つようにしたため、フロート編１０の編成において編針にかかる負荷が過大になることがなく、ひいては該編地１の製編速度を高めることができ、生産性を向上できることになる。
【００３９】
なお、上記した実施例では、丸編編成による場合について説明したが、本発明は、編成組織構成が丸編と同じ横編においても適用できることは言うまでもない。
【産業上の利用可能性】
【００４０】
本発明は、タイツ、スパッツ、ボディースーツ、ガードル、ショーツ、パンティストッキングその他の身体にフィットさせた状態で着用するインナーウエア、ソックスその他の丸編あるいは横編により編成される衣類に利用できる。
【図面の簡単な説明】
【００４１】
【図１】本発明にかかる編地の外観を示す一部の略示正面図である。
【図２】本発明にかかる編地の外観の他の例を示す一部の略示正面図である。
【図３】本発明にかかる編地の外観の他の例を示す一部の略示正面図である。
【図４】同編地の編成状態の模式的説明図である。
【図５】同編地の一部の拡大組織図である。
【図６】本発明の他の実施例の編地の編成状態の模式的説明図である。
【図７】同編地の一部の拡大組織図である。
【図８】本発明の編地より構成されるによる衣類を例示する略示正面図（ａ）と略示背面図（ｂ）である。
【符号の説明】
【００４２】
１…編地、２…隆起凸部、３…平坦部分、１０…連続フロート編、１１…保持ループ、１３…平編、１４…フロート編、１５…リブ編、１６…平編、１７…タック編、２０…隆起凸部の縦方向の列、２１…上下の隆起凸部間の編組織の部分、２２…隆起凸部に隣接する編組織の部分。
【図１】
2008214775.tif 000003
【図２】
2008214775.tif 000004
【図３】
2008214775.tif 000005
【図４】
2008214775.tif 000006
【図６】
2008214775.tif 000007
【図８】
2008214775.tif 000008
【図５】
2008214775.tif 000009
【図７】
2008214775.tif 000010